(57)【特許請求の範囲】
【請求項１】
表側の引戸１に本体ケース２を埋め込み固着し、本体ケース２の正面側開口部３より起伏回転するロックハンドル４を本体ケース２に収容し、ロックハンドル４を基端部の張出しアーム部５において本体ケース２に横断枢軸６によって枢着し、本体ケース２の背面側開口部７を通過してロックハンドル４の中間部の弧状アーム部８が出入りするストライカ９を裏側の引戸１０または出入り口の側柱に埋め込み固着し、ロックハンドル４の先端部の操作アーム部１１を押し引き操作してロックハンドル４の弧状アーム部８をストライカ９のロック部１２に係脱させる一方、本体ケース２の正面壁部１４の裏側に横断枢軸１５によってロックカム１６の基端部を揺動可能に枢着し、弧状アーム部８の側面部にロックカム１６の先端錠止部１７が係脱する受溝部１８を形成し、本体ケース２内に収容固定したソレノイドユニット１９のプランジャー２０の先端部にロックカム１６の中間部を横断ピン２１によって連結し、ロックハンドル４が引付け施錠位置に倒伏しているとき、ロックカム１６の先端錠止部１７を弧状アーム部８の受溝部１８に係合させるようにした引戸用密閉ロック装置において、
ロックハンドル４の操作アーム部１１の先端部に引寄せレバー２２を横断枢軸２３によって枢着し、本体ケース２の正面壁部１４の表側に引寄せレバー２２の先端フック部２４が係脱する受金部２５を設け、ロックハンドル４が引付け施錠位置に倒伏してロックカム１６が受溝部１８に係合しているとき、先端フック部２４と受金部２５を緊密に係合させてロックハンドル４を引寄せることによって、ロックカム１６の前面と受溝部１８の内面を圧接させないようにしたことを特徴とする引戸用密閉ロック装置。
【発明の詳細な説明】
【０００１】
【発明が属する技術分野】
本発明は出入り口の開口断面に沿って直線移動する表側と裏側の２枚の引戸を互いに引き付けて施錠したり、１枚の引戸を出入り口の側柱に引き付けて施錠するのに使用される引戸用密閉ロック装置に関するものである。
【０００２】
【従来の技術】
２枚の引戸を互いに引き付け、あるいは１枚の引戸を出入り口の側柱に引き付けて施錠する方式の引戸用密閉ロック装置は既に知られている（例えば、特許文献１参照）。
この従来装置では、表側の引戸に本体ケースを埋め込み固着し、本体ケースの正面側開口部より起伏回転するロックハンドルを本体ケースに収容し、ロックハンドルを基端部の張出しアーム部において本体ケースに横断枢軸によって枢着し、本体ケースの背面側開口部を通過してロックハンドルの中間部の弧状アーム部が出入りするストライカを裏側の引戸または出入り口の側柱に埋め込み固着し、ロックハンドルの先端部の操作アーム部を押し引き操作して前記弧状アーム部をストライカのロック部に係合させている。
【０００３】
しかしながら、この従来装置では、外部からの振動衝撃によってロックハンドルが解錠方向に回転することがある。
【０００４】
【特許文献１】
特開２０００−６４６９０号公報
【０００５】
【発明が解決しようとする課題】
本発明の目的は、単に外部からの振動衝撃によってロックハンドルが解錠方向に回転するのを阻止するだけでなく、ロックカムの前面と受溝部の内面が圧接しないようにロックハンドルを引き寄せることによって、ソレノイドユニットのプランジャの牽引作動によるロックカムの回転駆動が円滑になされるようにした引戸用密閉ロック装置を提供することである。
【０００６】
【課題を解決するための手段】
以下、添付図面中の参照符号を用いて説明すると請求項１の発明の主たる特徴は、表側の引戸１に本体ケース２を埋め込み固着し、本体ケース２の正面側開口部３より起伏回転するロックハンドル４を本体ケース２に収容し、ロックハンドル４を基端部の張出しアーム部５において本体ケース２に横断枢軸６によって枢着し、本体ケース２の背面側開口部７を通過してロックハンドル４の中間部の弧状アーム部８が出入りするストライカ９を裏側の引戸１０または出入り口の側柱に埋め込み固着し、ロックハンドル４の先端部の操作アーム部１１を押し引き操作してロックハンドル４の弧状アーム部８をストライカ９のロック部１２に係脱させる一方、本体ケース２の正面壁部１４の裏側に横断枢軸１５によってロックカム１６の基端部を揺動可能に枢着し、弧状アーム部８の側面部にロックカム１６の先端錠止部１７が係脱する受溝部１８を形成し、本体ケース２内に収容固定したソレノイドユニット１９のプランジャー２０にロックカム１６を横断枢軸２１によって枢着し、ロックハンドル４が引付け施錠位置に倒伏しているとき、ロックカム１６の先端錠止部１７を弧状アーム部８の受溝部１８に係合させるようにした引戸用密閉ロック装置において、
ロックハンドル４の操作アーム部１１の先端部に引寄せレバー２２を横断枢軸２３によって枢着し、本体ケース２の正面壁部１４の表側に引寄せレバー２２の先端フック部２４が係脱する受金部２５を設け、ロックハンドル４が引付け施錠位置に倒伏してロックカム１６が受溝部１８に係合しているとき、先端フック部２４と受金部２５を緊密に係合させてロックハンドル４を引寄せることによって、ロックカム１６の前面と受溝部１８の内面を圧接させないようにしたことである。
【０００７】
【発明の作用】
本発明の引戸用密閉ロック装置を表裏２枚の引戸の引付け施錠に使用した場合について説明する。
閉鎖状態において引戸１と引戸１０を引付け施錠するには、引寄せレバー２２の基端指掛け部２２ａに指を掛け、横断枢軸２３を中心に引寄せレバー２２を回動操作し、引寄せレバー２２の先端フック部２４を本体ケース２側の受金部２５から離脱させ、本体ケース２に対するロックハンドル４の拘束を解除する。この拘束解除後、引寄せレバー２２に指を掛けたまま、横断枢軸６を中心にロックハンドル４を回動操作し、ロックハンドル４を本体ケース２に正面側開口部３から引出す。
【０００８】
ロックハンドル４を本体ケース２に正面側開口部３から引出すに当たっては、外部からソレノイドユニット１９に解除信号を送り、プランジャー２０の牽引動作によって横断枢軸１５を中心にロックカム１６を回動操作し、ロックカム１６の先端錠止部１７をロックハンドル４の弧状アーム部８の受溝部１８から脱出させて置く。
【０００９】
かくしてロックハンドル４が張り出しアーム部５の長さに相当する円軌道を描いて、図２において２点鎖線で示した所定位置まで引出されたときには、ロックハンドル４の弧状アーム部８とストライカ９のロック部１２との締め付け係合が解除され、表側の引戸１と裏側の引戸１０または出入り口部の側柱との締め付け施錠が解除されている。
この段階でロックハンドル４の操作アーム部１１または弧状アーム部８を握って横方向に牽引すると、表側の引戸１が裏側の引戸１０または前記側柱に対して開放駆動される。
【００１０】
表側の引戸１を裏側の引戸１０または前記側柱に対して引付け施錠するには、該引戸１を閉鎖位置に移動させた後、ロックハンドル４を本体ケース２内に押し込む。
ロックハンドル４が横断枢軸６を中心に格納回転させられる過程において、弧状アーム部８がストライカ９の進入し、弧状アーム部８の縁辺部がストライカ９側のロック部１２の裏側に入り込む。ロックハンドル４が図２の実線で示した所定の位置まで本体ケース２に格納されたとき、弧状アーム部８はロック部１２に深く係合しており、表側の引戸１が裏側の引戸１０または前記側柱に対して充分に引き付けられる。
【００１１】
ロックハンドル４の格納回転の途中でラッチ動作の後、ロックカム１６の先端錠止部１７が弧状アーム部８側の受溝部１８に自動的に係合する。このロックカム１６の係合動作にあたって、ソレノイドユニット１９のプランジャー２０が一定範囲内で進退動作する。
【００１２】
ロックハンドル４の主要部分が本体ケース２に格納された終端段階において、先端フック部２４が本体ケース２側の受金部２５にラッチ動作の後、自動的に係合する。
この係合によってロックハンドル４が本体ケース２の前面方向に引寄せられるため、ロックカム１６の前面が受溝部１８の内面に圧接することがなく、ソレノイドユニット１９の牽引動作に影響を与えるような側圧が両者間に発生することがない。
【００１３】
このように本発明の引戸用密閉ハンドル装置では、本体ケース２の正面壁部１４の裏側に横断枢軸１５によってロックカム１６の基端部を揺動可能に枢着し、弧状アーム部８の側面部にロックカム１６の先端錠止部１７が係脱する受溝部１８を形成し、本体ケース２内に収容固定したソレノイドユニット１９のプランジャー２０にロックカム１６を横断枢軸２１によって枢着し、ロックハンドル４が引付け施錠位置に倒伏しているとき、ロックカム１６の先端錠止部１７を弧状アーム部８の受溝部１８に係合させるようにしたので、外部からの振動衝撃によってロックハンドル４が解錠方向に偶発的に回転することは的確に阻止され、安定して施錠状態を確保する。
【００１４】
【発明の実施の形態】
図示の実施例では、ロックハンドル４に隣接させて本体ケース２に錠前ユニット２６を収容固定し、錠前ユニット２６のロータ２７それ自体またはロータ２７に接続した連動カム部材２８に偏心カム突起２９を設け、ソレノイドユニット１９に向かって進退可能な連動プレート３０を本体ケース２に装備し、連動プレート３０の基端部の受動カム溝３１に偏心カム突起２９を係合させ、連動プレート３０の先端部にソレノイドユニット１９のプランジャー２０の基端部を牽引可能に連結してある。
【００１５】
このように非常解放用の錠前ユニット２６が装備されている場合には、ソレノイドユニット１９それ自体又はソレノイドユニット１９への通電回路などに故障があったり、停電している場合には、当該錠前ユニット２６が使用される。
錠前ユニット２６のロータ２７の鍵孔に所定の鍵（図示していない）を挿入し、ロータ２７を所定方向に回動操作すると、ロータ２７の偏心カム突起またはロータ２７に接続した連動カム部材２８の偏心カム突起２９が連動プレート３０の受動カム溝３１の内壁面を押すため、連動プレート２８が引き上げられる。
【００１６】
このように手動操作によって連動プレート３０が上昇すると、連動プレート３０の先端部に連結されているロックカム１６が牽引されるため、ロックカム１６は横断枢軸１５を中心に回動し、ロックカム１６の先端錠止部１７がロックハンドル４側の受溝部１８から離脱する。
【００１７】
また、本実施例では、ロックカム１６が弧状アーム部８の受溝部１８から脱出したとき、ソレノイドユニット１９のプランジャー２０の基端部によってオン操作される検知スイッチ３２を本体ケース２に付設してある。
【００１８】
このように検知スイッチ３２が本体ケース２側に装備されている場合には、プランジャー２０の牽引作動の終端において、プランジャー２０の基端部が検知スイッチ３２をオン操作し、検知スイッチ３２が接続されている発光ダイオードなどの表示装置によって、ロックハンドル４の拘束解除が実行されたことを報知する。拘束解除を確認した後に引寄せレバー２２を回動操作するようにすることによって、無理な回動操作によって引寄せレバー２２を損傷することがない。
【００１９】
さらにまた、本実施例では、錠前ユニット２６の非常解錠操作によってロックカム１６が弧状アーム部８の受溝部１８から脱出したとき、連動プレート３０の基端部によってオン操作される検知スイッチ３３を本体ケース２に付設してある。
【００２０】
このように本体ケース２側に検知スイッチ３３が装備されている場合には、連動プレート３０の上昇終端において、連動プレート３０の基端部によって検知スイッチ３３がオン操作されるため、検知スイッチ３３が接続されている発光ダイオードなどの表示装置によって、手動操作によってロックハンドル４が拘束解除状態にあることが報知される。
【００２１】
本実施例では、ロックハンドル４の弧状アーム部８は図２に示すように張り出しアーム部５との連絡部に向かうほど曲率半径が徐々に減少するように形成されているため、ロックハンドル４が本体ケース２に格納されるにつれてストライカ９のロック部１２が手前に引き寄せられる。そのため、表側の引戸１は裏側の引戸１０に引き付けられ、両者はガタ付きなく閉鎖位置に施錠される。
【００２２】
ストライカ９は、本体部分９ａと可動ブロック部分９ｂとに分離して構成され、ロック部１２が片面に突出形成されている可動ブロック部分９ｂは、ロックボルト３４によって本体部分９ａに締め付け固着されている。ロックボルト３４は、本体部分９ａの側壁板に形成された前後方向の水平スロット３５に挿通されているため、ロック部１２の位置を前後方向に移動調整することができ、表裏の引戸の引付け量を調整することができる。
【００２３】
本体ケース２表側の引戸１の戸枠部に形成した開口部３６に正面側から嵌め込まれ、背面側の取付脚部３７には、引戸１の背面側に当接する裏板３８の透孔３９から締め付け固着用ビス４０が捻じ込まれる。
ストライカ９は、裏側の引戸１０の戸枠部または出入り口部の側柱に形成した開口部４１に正面側から嵌め込まれ、翼板部９ｃの透孔４２を通るビス４３によって締め付け固着されている。
【００２４】
ロックボルト４の施錠成立位置を検出するためストライカ９の内部に付設され、外部の報知手段に接続された検知スイッチ１３、ソレノイドユニットの作動位置を検出するための検知スイッチ３２、そして、連動部レート３０の作動位置を検出するための検知スイッチ３３は、いずれもマイクロスイッチで構成されている。検知スイッチ１３はビス４４によってストライカ９の本体部分９ａに固着され、検知スイッチ３２はビス４５によって本体ケース２の錠前ユニット収容部４６の外壁部に固着され、検知スイッチ３はビス４７によって錠前ユニット収容部４６の内壁部に固着されている。
検知スイッチ１３は、ロックハンドル４の弧状アーム部８がストライカ９のロック部１２に所定深さまで係合したとき、オン操作される。
【００２５】
引寄せレバー２２は、引張りバネ４８によって受金部２５との係合を維持する方向に回転付勢されている。受金部２５は板状に形成され、ビス４９によって本体ケースの正面壁部１４に締め付け固着されている。ソレノイドユニット１９は、ビス５０によって本体ケース２の一方の側壁部に締め付け固定されている。プランジャー２０の先端部は横断ピン２１によってロックカム１６の中間部に連結されている。
【００２６】
プランジャー２０の拡大基端部２０ａは、検知スイッチ３２のアクチュエーターレバーを直接押すように配置されている。連動プレート３０の基端折曲げ部３０ａは、検知スイッチ３３のアクチュエーターレバーを直接押すように配置されている。
【００２７】
【発明の効果】
以上のように本発明の引戸用密閉ハンドル装置では、ロックハンドル４の操作アーム部１１の先端部にフックレバー２２を横断枢軸２３によって枢着し、本体ケース２の正面壁部１４の表側にフックレバー２２の先端フック部２４が係脱する受金部２５を設け、ロックハンドル４が引付け施錠位置に倒伏してロックカム１６が受溝部１８に係合しているとき、先端フック部２４と受金部２５を緊密に係合させてロックハンドル４を引寄せることによって、ロックカム１６の前面と受溝部１８の内面を圧接させないようにしたので、ロックカム１６と受溝部１８との間で食い付き現象が発生することがなく、ソレノイドユニット１９のプランジャー２０の牽引作動によるロックカム１６の回転駆動が円滑になされ、ロックハンドル４の拘束解除が外部からの解除信号に即応して確実になされる。
【図面の簡単な説明】
【図１】  本発明の一実施例に係る引戸用密閉ハンドル装置のロックハンドル格納時の正面図である。
【図２】  図１のＡ−Ａ線断面図である。
【図３】  図１の引戸用密閉ハンドル装置の右側面図である。
【図４】  図１の引戸用密閉ハンドル装置の背面図である。
【図５】  前記引戸用密密閉ハンドル装置で使用するストライカの正面図である。
【図６】  図５のストライカの縦断面である。
【符号の説明】
１  引戸
２  本体ケース
３  本体ケースの正面側開口部
４  ロックハンドル
５  ロックハンドルの張出しアーム部
６  横断枢軸
７  本体ケースの背面側開口部
８  ロックハンドルの弧状アーム部
９  ストライカ
１０  引戸
１１  ロックハンドルの操作アーム部
１２  ストライカのロック部
１３  検知スイッチ
１４  本体ケースの正面壁部
１５  横断枢軸
１６  ロックカム
１７  ロックカムの先端錠止部
１８  弧状アーム部の受溝部
１９  ソレノイドユニット
２０  プランジャー
２１  横断ピン
２２  引寄せレバー
２３  横断枢軸
２４  引寄せレバーの先端フック部
２５  本体ケース側の受金部
２６  錠前ユニット
２７  錠前ユニットのロータ
２８  連動カム部材
２９  偏心カム突起
３０  連動プレート
３１  連動プレートの受動カム溝
３２  検知スイッチ
３３  検知スイッチ
【図１】
0003792195.tif 000002
【図２】
0003792195.tif 000003
【図３】
0003792195.tif 000004
【図４】
0003792195.tif 000005
【図５】
0003792195.tif 000006
【図６】
0003792195.tif 000007